(57)【要約】      （修正有）【課題】高齢者や歩行困難者が戸外での移動を補助する歩行器として使用でき、移動途中で休む場合に、キャスターをロックして腰掛け等の椅子として用いることができる腰掛け部付き歩行器を提供する。【解決手段】基礎部の底部の前後左右に複数の旋回可能な双輪キャスター３を設けた腰掛け部付き歩行器１であって、基礎部の上部には水平な歩行器用の把持部２２とこれに平行で回動可能な操作レバー４を設け、操作バーを操作しない場合は自動的に全ての双輪キャスターがロックされ、操作レバーを操作することによりロックを解除して移動可能にし、基礎部の双輪キャスターと把持部との中間には収納部５１とを一体にした腰掛け部５を設け、前記把持部が背面に位置するようにした。【選択図】図１
2016000078.tif 000002
【特許請求の範囲】
【請求項１】
基礎部の底部の前後左右に複数の旋回可能な双輪キャスターを設けた腰掛け部付き歩行器であって、
前記基礎部の上部には水平な歩行器用の把持部とこれに平行で回動可能な操作レバーを設け、前記操作バーを操作しない場合は自動的に全ての双輪キャスターがロックされ、該操作レバーを操作することによりロックを解除して移動可能にし、
前記基礎部の双輪キャスターと把持部との中間には収納部とを一体にした腰掛け部を設け、前記把持部が背面に位置するようにしたことを特徴とする腰掛け部付き歩行器
【請求項２】
前記背面に設けた歩行器用の把持部は、基礎部のほぼ全幅に亘って設け、前記操作レバーもほぼ全幅に亘って設けたことを特徴とする請求項１に記載の腰掛け部付き歩行器
【請求項３】
前記腰掛け部は、水平部の座席部と該水平部と一体で下方に折れ曲がり後面には蓋部を設けた収納部であることを特徴とする請求項１又は２に記載の腰掛け部付き歩行器
【請求項４】
前記腰掛け部は、奥行きが１０cmから２０cmであることを特徴とする請求項１又は２又は３に記載の腰掛け部付き歩行器
【発明の詳細な説明】
【技術分野】
【０００１】
本発明は、歩行を助ける歩行器であって、一時休む場合に用いる腰掛けのための椅子を設けた腰掛け部付き歩行器に関するものである。
【背景技術】
【０００２】
従来より、通常、歩行困難な者の補助の為のキャスター付き歩行器は公知であり、これらの歩行器を使用して歩行中に休む場合等に便利なような腰掛け仕様の椅子になるものも公知である。
ところで、これら移動可能な車椅子と歩行器を合体して１つの装置にしたものは多数開示され提案されている。例えば、特許文献１(特開2000-142419号公報)の「折りたたみ式歩行器」は、前後左右に一対の全４個のキャスターを設け、後方の左右のキャスターのタイヤの表面を制度ピンで押圧してブレーキをかけるものが開示されている。この装置で、車椅子及び歩行器はブレーキレバーを把持した時にキャスターは制動状態になり、通常は非制動状態にある。
【０００３】
また、例えば、特許文献２(特開2001-321404号公報)の「歩行器兼用車椅子」は、４つのキャスターの外に駆動用の大車輪が設けられ、通常ブレーキは大車輪のタイヤを押圧するブレーキ部材を操作するものであり、歩行器として用いる場合は肘掛を歩行状態で使用出来る位置まで挙げて使用するものである。
また、歩行器兼用移動椅子で、キャスターの全てを一括して、同時にロック及びロック解除操作をするものは、本出願人が特許文献３として開示している。
【先行技術文献】
【特許文献】
【０００４】
【特許文献１】特開２０００−１４２４１９号公報
【特許文献２】特開２００１−３２１４０４号公報
【特許文献３】特開２０１３−１０６６４９号公報
【発明の概要】
【発明が解決しようとする課題】
【０００５】
ところで、前記特許文献２に開示される「歩行器兼用車椅子」は、駆動用の大径の大車輪１をロックするため、接地面積が大きく制動力も大きいが、大車輪自体は方向が固定されており旋回性が無いため、車椅子が曲がる場合に大きな曲率半径になってしまい、小回りの方向転回が難しいといった問題点もあり、また、回転する大車輪に衣服が巻き込まれる等の思わぬ事故が起きることもあり、更には、歩行器兼用車椅子をロックする場合には１対の駆動用の大車輪それぞれを制動する必要があった。また、歩行器兼用車椅子をロックをする場合にはタイヤに制動ピンに押圧するので、タイヤを痛めることもあった。
【０００６】
また、前記特許文献１のように、「折りたたみ式歩行器」の複数のキャスターうち１対の後輪のキャスターだけしかロックできないので、制動が不安定であり、更には、後輪のロック付きのキャスター側は旋回性がなく、歩行器及び車椅子が曲がる場合に大きな曲率半径になってしまい、小回りの方向転回が難しいといった問題点があった。他に個々のキャスターを個々にロックしなければならず、使用者の負担となっていた。
更に、前記特許文献３の歩行器兼用車椅子は、椅子部は所謂車椅子で、大型で病院や施設内等で使用するには適するが、操作レーバーも小さく戸外での使用には適さなかった。
【０００７】
本発明の課題は、腰掛け部付き歩行器であって、高齢者や歩行困難者が戸外での移動を補助する歩行器として使用でき、且つ、移動に際しての旋回性も良好で移動がし易く、また、戸外等で休む場合に、キャスターをロックして腰掛け等の椅子として用いることができる腰掛け部付き歩行器を提供しようとするものであり、さらには、移動の時にだけ全キャスターのロックを解除され、更に、一括して同時にロック及びロック解除操作をすることが可能な腰掛け部付き歩行器を提供するものである。
【課題を解決するための手段】
【０００８】
上記課題を解決するために、請求項１の発明は、基礎部の底部の前後左右に複数の旋回可能な双輪キャスターを設けた腰掛け部付き歩行器であって、前記基礎部の上部には水平な歩行器用の把持部とこれに平行で回動可能な操作レバーを設け、前記操作バーを操作しない場合は自動的に全ての双輪キャスターがロックされ、該操作レバーを操作することによりロックを解除して移動可能にし、前記基礎部の双輪キャスターと把持部との中間には収納部とを一体にした腰掛け部を設け、前記把持部が背面に位置するようにしたことを特徴とする腰掛け部付き歩行器である。
請求項２の発明は、請求項１に記載の腰掛け部付き歩行器において、前記背面に設けた歩行器用の把持部は、基礎部のほぼ全幅に亘って設け、前記操作レバーもほぼ全幅に亘って設けたことを特徴とする。
請求項３の発明は、請求項１又は２に記載の腰掛け部付き歩行器において、前記腰掛け部は、水平部の座席部と該水平部と一体で下方に折れ曲がり後面には蓋部を設けた収納部であることを特徴とする。
請求項４の発明は、請求項１又は２又は３に記載の腰掛け部付き歩行器において、前記腰掛け部は、奥行きが１０cmから２０cmであることを特徴とする。
【発明の効果】
【０００９】
請求項１の腰掛け部付き歩行器の発明によれば、前後左右の全４個(複数)の旋回可能なキャスターを設けたので移動に際しての旋回性も良好で移動がし易く、全キャスターを一括して同時にロック及びロック解除操作を行うキャスター操作レバーを設けたので、使用者の操作の負担が軽減され、腰掛け部である椅子部と歩行器部を一体にしたので、狭い場所においても場所を占領することもない。
また、腰掛け部（椅子部）は通常の状態では全キャスターがロックされているので、安心して固定椅子として使用でき、全キャスターを一括してロック解除の操作を行えば歩行器として使用できる。
したがって、高齢者や歩行困難者が戸外での移動を補助する歩行器として使用でき、移動途中で休む場合に、キャスターをロックして腰掛け等の椅子として用いることができる。
請求項２の腰掛け部付き歩行器の発明によれば、背面に設けた歩行器用の把持部は基礎部のほぼ全幅に亘って設け、操作レバーもほぼ全幅に亘って設けたので、迷うことなく、把持部に掴まった使用者の手でキャスター操作レバーを簡単に操作することができる。
請求項３、請求項４の腰掛け部付き歩行器の発明によれば、腰掛け部は水平部の座席部と水平部と一体で下方に折れ曲がり後面には蓋部を有する収納部を設けたので、部品点数を少なくでき、スペース的にも有利であり、蓋付き収納部を設けたので、収納物が目立たず落としたり他人に取られたりすることもなく、外を移動しても違和感がなく、買い物等に使用できる。
【図面の簡単な説明】
【００１０】
【図１】本発明の実施例の腰掛け部付き歩行器の右側方からの外観斜視図、
【図２】図１の背面図である。
【発明を実施するための形態】
【００１１】
本発明は、全てのキャスターが旋回可能で、かつ、遠隔操作でロック／ロック解除機能を有し、収納部を有した腰掛け部を設けた歩行器に関するものである。ここで、本発明の好適な腰掛け部付き歩行器に適用した実施例を図面に沿って説明する。
【実施例】
【００１２】
図１は実施例の腰掛け部付き歩行器１の全体の右側方からの外観斜視図、図２は背面図である。
図１に示すように、腰掛け部付き歩行器１の基礎枠体２の底部の前側左右の脚枠体部２１(21a,21b)、後側左右の脚枠体部２１(21c,21d)の合計４本の脚枠体部２１には、それぞれ旋回可能な双輪キャスター３(３a,３b,３c,３d)が配置され、この基枠体２の上部の背面には水平な歩行器用の把持部２２とこれに平行で回動可能なキャスター操作レバー４が設けられ、基礎枠体２の把持部２２との間は１対の中間枠体部２３によって連結され、この両中間枠体部２３には収納部５１とを一体にした腰掛け部５が設けられている。
図２も合わせて説明すると、前記背面に設けた歩行器用の把持部２２は、基礎枠体２の１対の中間枠体部２３及び側部２２１のほぼ全幅に亘って設けられ、どちらか一方の側部２２１(本実施例では、図１の右側)にはキャスター操作部６が設けられ、前記キャスター操作レバー４の両端部４１は、このキャスター操作部６の回動端６１と他方の側部２２１の軸支持部２２２で回動自在に軸支されている。
【００１３】
前記キャスター操作レバー４と双輪キャスター３(3a,3b,3c,3d)との操作伝達機構７は、前掲特許文献３と基本的に同じで、キャスター操作レバー４を使用者を握って回動させることで、キャスター操作部６の操作端(回動軸)６１を回動し、レバー連結ワイヤー７１(点線)を引っ張り、ワイヤー分岐盤７２によって４本の分岐ワイヤー７３(73a,73b,73c,73d：1点鎖線)に分割され、各分岐ワイヤー７３が引っ張られ、各双輪キャスター３(3a,3b,3c,3d)と車輪ロック機構３１を操作して、全双輪キャスター３(3a,3b,3c,3d)を一括して同時にロック解除される。逆に、キャスター操作レバー４を離すと、車輪ロック機構３１内のバネ等でキャスター操作レバー４が自動的に下がり、４本の分岐ワイヤー７３(73a,73b,73c,73d)も元に戻って、車輪ロック機構３１で各双輪キャスター３(3a,3b,3c,3d)がロック状態になり、腰掛け部付き歩行器１が床或いは路上に強固に固定される。
なお、車輪ロック機構３１は、同軸の分岐ワイヤー７３(73a,73b,73c,73d）のインナーワイヤーの引っ張り力で双輪キャスター３がロック、インナーワイヤーを戻しことでロック解除される構成であれば公知の構成を採用すればよく、本実施例では前掲特許文献３と同じ双輪キャスター３を採用している。
【００１４】
前記基礎枠体２の双輪キャスター３と把持部２２との中間部には収納部５１とを一体にした腰掛け部５を設け、この腰掛け部５は、水平部の座席部５２と水平部と一体で下方に折れ曲がり後面には蓋部５１１(図２参照)を設けた収納部５１であり、腰掛け部５の座席部５２の奥行きは、１０cmから２０cm程度である。これは、この程度であれば、腰掛け部付き歩行器１の保管場所が狭くてよく、携帯することも可能であり、かつ充分に使用者が一時的に腰掛けて休めるからである。
このように、腰掛け部５を含めて、腰掛け部付き歩行器１がコンパクトに形成させているので、戸外にも使用者１人で持ち出すことができ、かつ、双輪キャスター３(3a,3b,3c,3d)の全てがロック状態になるので、腰掛け部付き歩行器１が床或いは路上に強固に固定される。
【００１５】
本実施例は以上のような構成であるので、高齢者や歩行困難者が戸外での移動を補助する歩行器として使用でき、歩行器或いは移動腰掛けであっても、一括してキャスターのロック／解除を一括して操作可能な操作レバーを腰掛け部付き歩行器１の背面の上端近傍に配置したので、歩行器として操作が簡単に行われ、背面に設けた歩行器用の把持部は基礎部のほぼ全幅に亘って設け、操作レバーもほぼ全幅に亘って設けたので、迷うことなく、把持部に掴まった使用者の手でキャスター操作レバーを簡単に操作することができる。
また、前後左右の全４個(複数)の旋回可能なキャスターを設けたので移動に際しての旋回性も良好で移動がし易く、全キャスターを一括して同時にロック及びロック解除操作を行うキャスター操作レバーを設けたので、使用者の操作の負担が軽減され、腰掛け部５である椅子部と把持部２２等の歩行器部を一体にしたので、狭い場所においても場所を占領することもない。
【００１６】
また、腰掛け部（椅子部）は通常の状態では全キャスターがロックされているので、固定椅子として使用でき、全キャスターを一括してロック解除の操作を行えば、歩行器として使用できる。
また、腰掛け部５は水平部の座席部と水平部と一体で下方に折れ曲がり後面には蓋部５１１を設けた収納部５１ので、部品点数を少なくでき、スペース的にも有利であり、蓋付き収納部を設けたので、収納物が目立たず落としたり他人に取られたりすることもなく、町中や戸外を移動しても違和感がなく、買い物等に使用できる。
なお、本発明の特徴を損なうものでなければ、上記の実施例に限定されるものでないことは勿論である。
【符号の説明】
【００１７】
１・・腰掛け部付き歩行器、
２・・基礎枠体、２１(21a,21b,21c,21d)・・脚枠体部、
２２・・把持部、２２１・・側部、２２２・・軸支持部、
２３・・中間枠体部、
３(３a,３b,３c,３d)・・(双輪)キャスター、３１・・車輪ロック機構
４・・(キャスター)操作レバー、４１・・端部、
５・・腰掛け部、５１・・収納部、５１１・・蓋部、５２・・座席部、
６・・キャスター操作部、６１・・操作端(回動軸)、
７・・操作伝達機構、７１・・レバー連結ワイヤー、７２・・ワイヤー分岐盤、
７３(73a,73b,73c,73d）・・分岐ワイヤー、  
【図１】
2016000078.tif 000003
【図２】
2016000078.tif 000004